(57)【要約】【課題】ケース部からキャップ部が外れることを抑えることの可能なコードストッパーを提供する。【解決手段】ケース部１０の外周壁を貫通して先端開口部１２の孔に連通し、先端開口部１２の筒端面から基端開口部１１側へ延びる一つのガイドスリット１３を備え、ガイドスリット１３における基端開口部１１側の端部には、該端部から先端開口部１２側へ延びる帯状のヒンジ部２０が連結され、キャップ部３０の全体が、先端開口部１２の孔、及びガイドスリット１３に嵌め込まれ、キャップ部３０のうち先端開口部１２の孔を塞ぐ外表面３３Ｓが、先端開口部１２の筒端面と面一である。【選択図】図１
2012217540.tif 000002
【特許請求の範囲】
【請求項１】
互いに向い合う一対の開口部で孔の大きさが互いに異なる筒状のケース部と、
前記一対の開口部のうち大きい孔を有した大開口部を閉じるキャップ部とを備え、
前記ケース部と前記キャップ部とが、可撓性のヒンジ部を介して一体的に形成され、
前記一対の開口部のうち小さい孔を有した小開口部が、前記ケース部の内部に収容される紐の結び部を前記ケース部の内部から引き出し不能にする
樹脂製のコードストッパーであって、
前記ケース部の外周壁を貫通して前記大開口部の孔に連通し、前記大開口部の筒端面から前記小開口部側へ延びる一つのスリットをさらに備え、
前記スリットにおける前記小開口部側の端部には、該端部から前記大開口部側へ延びる帯状の前記ヒンジ部が連結され、該ヒンジ部における前記大開口部側には、前記キャップ部が連結され、
前記キャップ部の全体が、前記大開口部の孔、及び前記スリットに嵌め込まれ、
前記キャップ部のうち前記大開口部の孔を塞ぐ外表面は、前記大開口部の筒端面と面一であることを特徴とするコードストッパー。
【請求項２】
前記キャップ部では、前記ヒンジ部に連結される部分である基端部が、前記スリットに嵌め込まれ、
前記基端部のうち前記スリットを塞ぐ外表面は、前記ケース部の外周面と面一である
請求項１に記載のコードストッパー。
【請求項３】
前記大開口部の孔が、前記スリットから前記ケース部の内側へ拡開された孔であり、
前記キャップ部は、前記スリットの幅よりも小さい幅を先端に有した先細り形状である
請求項２に記載のコードストッパー。
【請求項４】
前記ケース部が、前記大開口部の孔における内面と前記スリットの内面との段差からなる係止部を有し、
前記キャップ部の先端部が、前記キャップ部の基端部から前記段差の方向に拡幅され、
前記キャップ部が、前記キャップ部の先端部と前記キャップ部の基端部との段差からなる被係止部を有し、
前記キャップ部が前記大開口部の孔に嵌め込まれることで、前記係止部と前記被係止部とは係合する
請求項３に記載のコードストッパー。
【請求項５】
前記ケース部の内部に嵌合凹部を有し、
前記キャップ部の先端部に嵌合凸部を有し、
前記キャップ部が前記大開口部の孔に嵌め込まれることで、前記嵌合凹部と前記嵌合凸部とは嵌合する
請求項１〜４のいずれか一項に記載のコードストッパー。
【請求項６】
前記ヒンジ部の厚さが一定である
請求項１〜５のいずれか一項に記載のコードストッパー。
【請求項７】
前記ケース部は、前記小開口部の孔から前記ケース部の内側へ拡開されて前記大開口部の孔に連通する内部空間を有する
請求項１〜６のいずれか一項に記載のコードストッパー。
【発明の詳細な説明】
【技術分野】
【０００１】
本発明は、衣類や収納袋などの紐通しに通された紐の端部に取り付けられるコードストッパーに関し、特に紐の端部に形成された結び部を収容する筒状のケース部がキャップ部によって閉じられるコードストッパーに関するものである。
【背景技術】
【０００２】
従来から、例えば特許文献１に記載のように、衣類や収納袋などの紐通しに通された紐の一端に取り付けられる樹脂製のコードストッパーが知られている。図５（ａ）（ｂ）は、コードストッパーにおける内部の断面構造を示す断面図であって、コードストッパーが紐の端部に取り付けされる過程を示す図である。
【０００３】
図５（ａ）に示されるように、コードストッパーにおける円筒状のケース部５０には、帯状のヒンジ部６０を介して、キャップ部７０が一体的に成形されている。ケース部５０における下方の筒端には、ケース部５０の筒内に紐Ｋが挿入されるための基端開口部５１が形成され、また、ケース部５０における上方の筒端には、ケース部５０の筒内から紐Ｋが引き出されるための円形孔状の先端開口部５２が形成されている。先端開口部５２の内径Ｒａ１は、基端開口部５１の内径Ｒａ２よりも大きく、先端開口部５２から引き出された紐Ｋの結び部Ｋａは、基端開口部５１から引き戻される際に、先端開口部５２を通り、基端開口部５１で係止される。
【０００４】
先端開口部５２の外周壁５３には、該外周壁５３の欠肉部５４から延びる可撓性を有した帯状のヒンジ部６０が連結され、該ヒンジ部６０の先端には、有蓋円錐台状のキャップ部７０が連結されている。キャップ部７０を構成する円盤状の閉塞部７１には、上記外周壁５３の外径Ｒｂ１と略同じ外径からなる外表面７１Ｓが形成され、該閉塞部７１の外表面７１Ｓには、ヒンジ部６０の先端が連結されている。また、閉塞部７１において先端開口部５２と向かい合う面である閉塞端面７２Ｓには、先端開口部５２の内径Ｒａ１よりも小さい外径を有する円錐台形状のガイド突部７２が突設されている。
【０００５】
このような構成によれば、紐Ｋの先端にコードストッパーが取り付けられる際に、まず、図５（ａ）に示されるように、先端開口部５２が開けられた状態から、紐Ｋの先端が基端開口部５１と先端開口部５２とを通じてケース部５０の外側へ引き出される。次いで、紐Ｋの先端に結び部Ｋａが形成され、その後、紐Ｋが基端開口部５１から引き戻される。これによって、紐Ｋの結び部Ｋａが、ケース部５０内の段差部５５に当接して基端開口部５１から引き出し不能になる。続いて、閉塞端面７２Ｓが先端開口部５２の筒端面に当接するまで、ヒンジ部６０を介してキャップ部７０が回転すると、図５（ｂ）に示されるように、ガイド突部７２が先端開口部５２に摺接しながら、ガイド突部７２が先端開口部５２内に入り込む。これによって、ケース部５０の先端開口部５２は、キャップ部７０の閉塞部７１によって閉ざされる。
【先行技術文献】
【特許文献】
【０００６】
【特許文献１】特開平１１−９９００８号公報
【発明の概要】
【発明が解決しようとする課題】
【０００７】
ところで、上述したコードストッパーでは、先端開口部５２の全体がキャップ部７０の閉塞部７１に覆われ、これにより、先端開口部５２がキャップ部７０で閉ざされている。それゆえに、先端開口部５２がキャップ部７０で閉ざされた状態では、キャップ部７０のガイド突部７２のみがケース部５０の内側に嵌め込まれ、それ以外の部分であるキャップ部７０の閉塞部７１がケース部５０の外側に突出することになる。そして、ヒンジ部６０を介してキャップ部７０が回転しやすくなる結果、キャップ部７０によるケース部５０の閉塞が容易に解除されることとなる。
本発明は、こうした実情に鑑みてなされたものであり、その目的は、ケース部からキャップ部が外れることを抑えることの可能なコードストッパーを提供することにある。
【課題を解決するための手段】
【０００８】
こうした目的を達成するため、請求項１に記載の発明は、互いに向い合う一対の開口部で孔の大きさが互いに異なる筒状のケース部と、前記一対の開口部のうち大きい孔を有した大開口部を閉じるキャップ部とを備え、前記ケース部と前記キャップ部とが、可撓性のヒンジ部を介して一体的に形成され、前記一対の開口部のうち小さい孔を有した小開口部が、前記ケース部の内部に収容される紐の結び部を前記ケース部の内部から引き出し不能にする樹脂製のコードストッパーであって、前記ケース部の外周壁を貫通して前記大開口部の孔に連通し、前記大開口部の筒端面から前記小開口部側へ延びる一つのスリットをさらに備え、前記スリットにおける前記小開口部側の端部には、該端部から前記大開口部側へ延びる帯状の前記ヒンジ部が連結され、該ヒンジ部における前記大開口部側には、前記キャップ部が連結され、前記キャップ部の全体が、前記大開口部の孔、及び前記スリットに嵌め込まれ、前記キャップ部のうち前記大開口部の孔を塞ぐ外表面は、前記大開口部の筒端面と面一であることを要旨とする。
【０００９】
請求項１に記載の発明によれば、大開口部の孔とスリットとにキャップ部の全体が嵌め込まれ、この大開口部の孔では、該孔を塞ぐキャップ部の外表面と大開口部の筒端面とが面一となる。それゆえに、キャップ部のうち、ケース部の外側に露出する部分が、ケース部の外側で物に引っ掛かったり、指などの触覚によって認識されたりすることを抑えること、ひいてはケース部に嵌め込まれたキャップ部がケース部から外れることを抑えることが可能となる。
【００１０】
請求項２に記載の発明は、前記キャップ部では、前記ヒンジ部に連結される部分である基端部が、前記スリットに嵌め込まれ、前記基端部のうち前記スリットを塞ぐ外表面は、前記ケース部の外周面と面一であることを要旨とする。
【００１１】
請求項２に記載の発明によれば、ケース部の外周壁に形成されたスリット内にキャップ部の基端部が嵌め込まれ、スリットを塞ぐ基端部の外表面とケース部の外周面とが面一になる。それゆえに、キャップ部のうちケース部の外側に露出する部分が、ケース部の外側で物に引っ掛かったり、指などの触覚によって認識されたりすることを、より抑えることが可能になる。
【００１２】
請求項３に記載の発明は、前記大開口部の孔が、前記スリットから前記ケース部の内側へ拡開された孔であり、前記キャップ部は、前記スリットの幅よりも小さい幅を先端に有した先細り形状であることを要旨とする。
【００１３】
請求項３に記載の発明によれば、キャップ部の先端は、スリットに挿入可能な先細り形状である。そのため、キャップ部を大開口部に嵌め込む際には、ケース部の先端をスリットから大開口部へ嵌め込むことが容易なものになる。このような構成であれば、大開口部の孔の延びる方向にキャップ部が嵌め込まれる場合と比較して、ヒンジ部の折り曲げられる角度を小さくすることが可能である。
【００１４】
請求項４に記載の発明は、前記ケース部が、前記大開口部の孔における内面と前記スリットの内面との段差からなる係止部を有し、前記キャップ部の先端部が、前記キャップ部の基端部から前記段差の方向に拡幅され、前記キャップ部が、前記キャップ部の先端部と前記キャップ部の基端部との段差からなる被係止部を有し、前記キャップ部が前記大開口部の孔に嵌め込まれることで、前記係止部と前記被係止部とは係合することを要旨とする。
【００１５】
請求項４に記載の発明によれば、キャップ部が大開口部の孔に嵌め込まれることで、ケース部の係止部とキャップ部の被係止部とが係合する。そのため、キャップ部が大開口部の孔に嵌め込まれた状態にて、キャップ部がケース部から外れることを、より抑えることが可能となる。
【００１６】
請求項５に記載の発明は、前記ケース部の内部に嵌合凹部を有し、前記キャップ部の先端部に嵌合凸部を有し、前記キャップ部が前記大開口部の孔に嵌め込まれることで、前記嵌合凹部と前記嵌合凸部とは嵌合することを要旨とする。
【００１７】
請求項５に記載の発明によれば、キャップ部が大開口部の孔に嵌め込まれた状態で、ケース部の嵌合凹部とキャップ部の嵌合凸部とが嵌合するため、ケース部に嵌め込まれたキャップ部が該ケース部から外れることを、より抑えることが可能となる。
【００１８】
請求項６に記載の発明は、前記ヒンジ部の厚さが一定であることを要旨とする。
請求項６に記載の発明によれば、ヒンジ部の厚さが一定であるため、ヒンジ部が折り曲げられる際に、ヒンジ部における一部が局所的に大きく折り曲げられることが抑えられる。それゆえに、ヒンジ部の機械的な耐久性を高めることが可能である。
【００１９】
請求項７に記載の発明は、前記ケース部は、前記小開口部の孔から前記ケース部の内側へ拡開されて前記大開口部の孔に連通する内部空間を有することを要旨とする。
請求項７に記載の発明によれば、ケース部の内部に、該ケース部が有する内部空間と小開口部の孔との段差が形成される。これにより、ケース部が有する内部空間と小開口部の孔との段差に紐の結び部が係止されやすくなる。それゆえに、ケース部内に収容された紐の結び部がケース部内から抜け出ることを、より抑えることが可能である。
【図面の簡単な説明】
【００２０】
【図１】本発明の一実施形態におけるコードストッパーの斜視構造を示す図であって、ケース部内にキャップ部が嵌め込まれる前のコードストッパーを該コードストッパーの基端側から見た斜視図。
【図２】同じくコードストッパーの斜視構造を示す図であって、ケース部にキャップ部が嵌め込まれる前のコードストッパーを該コードストッパーの先端側から見た斜視図。
【図３】同じくコードストッパーの内部構造を示す図であって、図１におけるＡ−Ａ線断面図。
【図４】同じくコードストッパーの内部構造を示す図であって、（ａ）ケース部にキャップ部が嵌め込まれる前の状態を示す図、（ｂ）ケース部にキャップ部の一部が嵌め込まれた状態を示す図、（ｃ）ケース部にキャップ部の全体が嵌め込まれた状態を示す図。
【図５】従来例におけるコードストッパーの断面構造を示す図であって、（ａ）ケース部にキャップ部が嵌め込まれる前の状態を示す図、（ｂ）ケース部にキャップ部が嵌め込まれた状態を示す図。
【発明を実施するための形態】
【００２１】
以下、本発明のコードストッパーを具体化した一実施形態について、図１を参照して説明する。図１に示されるように、樹脂製のコードストッパーでは、楕円筒状をなすケース部１０にヒンジ部２０を介してキャップ部３０が一体的に成形されている。
【００２２】
ケース部１０における一方の筒端には、ケース部１０の筒内にコードを挿入するための小開口部としての円形孔状の基端開口部１１が形成されている。一方、ケース部１０における他方の筒端には、ケース部１０の筒内からコードを引き出すための大開口部としての矩形孔状の先端開口部１２が、基端開口部１１と互いに向い合うように形成されている。先端開口部１２は、基端開口部１１から挿入されるコードの先端をケース部１０から引き出す際に用いられる。こうした先端開口部１２のサイズは、引き出されたコードの結び部が挿通するように、基端開口部１１よりも大きく形成されている。
【００２３】
ケース部１０の周壁のうち左側の壁であるキャップ連結壁１０Ｓには、先端開口部１２の筒端面から基端開口部１１に向けて延びるガイドスリット１３が、キャップ連結壁１０Ｓの外表面と直交する方向である横方向に貫通している。ガイドスリット１３の延びる方向である延設方向において、ガイドスリット１３の長さであるスリット長Ｌ１は、ケース部１０の長さであるケース長Ｌ２の半分以上である。また、延設方向及び横方向と直交する方向である縦方向において、ガイドスリット１３の幅であるスリット幅ＨＢ１は、ガイドスリット１３の延設方向の全体にわたり一定である。
【００２４】
ガイドスリット１３における基端開口部１１側のスリット基端１３Ｎには、延設方向に延びる帯状のヒンジ部２０が連結されている。ヒンジ部２０の横方向における幅である肉厚Ｗは、ヒンジ部２０における延設方向の全体にわたり一定である。一方、ヒンジ部２０の縦方向における幅であるヒンジ幅は、スリット幅ＨＢ１よりも小さく、且つヒンジ部２０の延設方向の全体にわたり一定である。そして、ヒンジ部２０の全体の形状、及び大きさは、該ヒンジ部２０がガイドスリット１３に収容されることの可能なものである。
【００２５】
ヒンジ部２０の先端には、キャップ部３０の基端部である帯状の連結曲部３１が連結されている。連結曲部３１は、ヒンジ部２０の外表面と連続する外表面を有するとともに、該連結曲部３１における基端側と連結曲部３１における先端側とで挟まれる角度が約９０°となるように、ヒンジ部２０の先端から緩やかに折れ曲がっている。この連結曲部３１の横方向における肉厚は、同じくヒンジ部２０における横方向の肉厚Ｗと同じであって、この連結曲部３１の縦方向における幅である連結幅ＨＣ１は、上述したスリット幅ＨＢ１と略同じである。さらに、連結曲部３１の縦方向における外縁である連結部輪郭３１Ｅは、ガイドスリット１３の内縁であるスリット輪郭１３Ｅに倣うかたちに形成されている。すなわち、連結曲部３１の全体の形状、及び大きさは、ガイドスリット１３に該連結曲部３１の全体が嵌め込まれることの可能なものである。そして、連結曲部３１がガイドスリット１３に嵌め込まれることで、上述したスリット輪郭１３Ｅと連結部輪郭３１Ｅとが互いに一致し、これにより、連結曲部３１のうちガイドスリット１３を塞ぐ外表面とケース部１０の外周面とが面一となる。
【００２６】
連結曲部３１の内表面には、連結曲部３１の内側に広がる三角板状の連結突片３２が突設されている。こうした連結突片３２が形成されることによって、連結曲部３１の曲げ剛性が機械的に補強され、延設方向や横方向への外力に対し、連結曲部３１の曲げ剛性がヒンジ部２０の曲げ剛性よりも大きくなる。
【００２７】
連結曲部３１の先端、及び連結突片３２の先端には、キャップ部３０を構成する直方体形状の閉塞部３３が連結されている。閉塞部３３の縦方向における幅であるキャップ幅ＨＣ２は、上述した連結幅ＨＣ１よりも大きく、且つ先端開口部１２の幅である開口幅ＨＢ２と略同じである。そして、閉塞部３３の全体の形状、及び大きさは、先端開口部１２の孔に該閉塞部３３の全体が嵌め込まれることの可能なものである。
【００２８】
キャップ部３０の先端部である閉塞部３３は、キャップ部３０の基端部である連結曲部３１、及び連結突片３２から縦方向へ拡幅されている。そして、閉塞部３３の基端側には、連結曲部３１の先端、及び連結突片３２の先端から縦方向に広がる平面状の被係止部としての被係止面３３ａが形成されている。これにより、閉塞部３３の被係止面３３ａと連結曲部３１の内表面との間には、連結突片３２、及び連結曲部３１と閉塞部３３との段差からなる肉抜き３０Ｃが形成されている。
【００２９】
図２に示されるように、閉塞部３３の外表面３３Ｓの外縁である閉塞部輪郭３３Ｅは、先端開口部１２の内縁である先端開口輪郭１２Ｅに倣うかたちに形成されている。このような構成によれば、閉塞部３３が先端開口部１２の孔に嵌め込まれることで、上述した先端開口輪郭１２Ｅと閉塞部輪郭３３Ｅとが互いに一致し、閉塞部３３のうち先端開口部１２の孔を塞ぐ外表面３３Ｓと先端開口部１２における筒端面とが面一となる。
【００３０】
閉塞部３３におけるケース部１０側には、閉塞部３３の先端であって、ケース部１０の内側に向けて先細りした四角錐台状の挿入部３４が形成されている。挿入部３４の先端における縦方向の幅である挿入幅ＨＡは、上述したスリット幅ＨＢ１よりも小さい。このような構成によれば、キャップ部３０の先端形状が、ガイドスリット１３に挿入可能な先細り形状であるため、閉塞部３３が先端開口部１２の孔に嵌め込まれる際には、閉塞部３３の先端部である挿入部３４がガイドスリット１３からスライドして先端開口部１２へ入り込むことが容易なものとなる。
【００３１】
閉塞部３３における縦方向の両側面には、該閉塞部３３の長手方向に沿って、三角柱状をなす上下一対の嵌合凸部３５が突設されている。嵌合凸部３５におけるケース部１０側の面には、挿入部３４におけるケース部１０側と面一となる挿入面３５ａが形成されている。そして、上述した挿入部３４が先端開口部１２の孔に嵌め込まれると、このような形状からなる嵌合凸部３５では、挿入部３４に摺接する先端開口輪郭１２Ｅが挿入部３４から嵌合凸部３５にかけて連続的に摺動することになる。これにより、挿入部３４の全体が先端開口部１２の内部に進入することが容易なものとなる。
【００３２】
ケース部１０における先端開口部１２の孔は、ガイドスリット１３からケース部１０の内側に向けて拡開された孔であり、ケース部１０の内部に、先端開口部１２の孔における内面とガイドスリット１３の内面との段差からなる係止部としての係止面１３ａを形成している。この係止面１３ａは、上述した閉塞部３３が先端開口部１２の孔に嵌め込まれることで、上述した被係止面３３ａと係合する。
【００３３】
また、ケース部１０の周壁のうち縦方向の両側壁には、縦方向に延びる上下一対の嵌合凹部１５が貫通している。これら上下一対の嵌合凹部１５の各々は、上述した閉塞部３３が先端開口部１２の孔に嵌め込まれることで、上述した上下一対の嵌合凸部３５と嵌合する。
【００３４】
図３に示されるように、ケース部１０の内部には、基端開口部１１の孔からケース部１０の内側へ拡開されて先端開口部１２の孔に連通する内部空間Ｓが形成されている。そして、こうした形状からなる内部空間Ｓが形成されることで、該内部空間Ｓと基端開口部１１の孔とによる段差部１６が、ケース部１０の周方向の全体にわたり形成されている。このような構成によれば、ケース部１０が有する内部空間Ｓと基端開口部１１の孔との段差に紐の結び部が係止されやすくなる。それゆえに、ケース部１０内に収容された紐の結び部がケース部１０内から抜け出ることを、より抑えることが可能である。
次に、上述した構成からなるコードストッパーの作用について以下に説明する。
【００３５】
コードストッパーが紐の端部に取り付けられる場合には、まず、図４（ａ）に示されるように、ヒンジ部２０がガイドスリット１３の外側に折り曲げられて、キャップ部３０がガイドスリット１３の外側に配置される。この状態から、図示されない紐の先端が、基端開口部１１と先端開口部１２とを通じてケース部１０の外側へ引き出される。次いで、紐の先端に結び部が形成され、その後、紐が基端開口部１１から引き戻される。これによって、紐の結び部がケース部１０内の段差部１６に当接して基端開口部１１から引き出し不能になる。
【００３６】
次いで、キャップ部３０の閉塞部３３からケース部１０に向く外力が、利用者の指などを通して、閉塞部３３に対して加えられる。そして、このような外力が閉塞部３３に作用すると、該外力が連結曲部３１を介してヒンジ部２０に作用し、これにより、ケース部１０の内側に向けてヒンジ部２０が折れ曲る。
【００３７】
この際、図４（ｂ）に示されるように、ケース部１０の内側に向けてヒンジ部２０が折れ曲がることによって、まず、キャップ部３０の挿入部３４が、略横方向にスライドしてガイドスリット１３に入り込む。このとき、上述したように、挿入部３４が先細り形状に形成されることから、挿入部３４がガイドスリット１３へ入り込むことが容易なものとなる。続いて、挿入部３４がガイドスリット１３にさらに進入すると、ガイドスリット１３の幅が挿入部３４によって押し広げられ、その後、閉塞部３３と連結曲部３１とが、ガイドスリット１３に入り込む。
【００３８】
そして、閉塞部３３と連結曲部３１との接続部位である被係止面３３ａがガイドスリット１３を通過して係止面１３ａに到達すると、図４（ｃ）に示されるように、連結曲部３１がガイドスリット１３に嵌め込まれる。これにより、スリット輪郭１３Ｅと連結部輪郭３１Ｅとが互いに一致し、そして、連結曲部３１のうちガイドスリット１３を塞ぐ外表面とケース部１０の外周面とが面一となる。その結果、ケース部１０の外周面と連結曲部３１の外表面との間にケース部１０の外側から異物が入り込む場合には、こうした異物の入り込む方向と連結曲部３１の嵌め込まれる方向とが等しくなる。それゆえに、ケース部１０の外周面と連結曲部３１の外表面との間に異物が入り込むことでキャップ部３０が外れることを抑えることが可能となる。
【００３９】
また、閉塞部３３が先端開口部１２の孔に嵌め込まれて、先端開口輪郭１２Ｅと閉塞部輪郭３３Ｅとが互いに一致し、そして、閉塞部３３のうち先端開口部１２の孔を塞ぐ外表面３３Ｓと先端開口部１２における端面とが面一となる。その結果、閉塞部３３の外表面３３Ｓと先端開口部１２の筒端面との間に異物が入り込むことでキャップ部３０が外れることを抑えることが可能となる。その結果、キャップ部３０のうち、ケース部１０の外側に露出する部分が、ケース部１０の外側で物に引っ掛かったり、指などの触覚によって認識されたりすることを抑えること、ひいてはケース部１０に嵌め込まれたキャップ部３０がケース部１０から外れることを抑えることが可能となる。
【００４０】
なお、この際、被係止面３３ａが係止面１３ａに到達すると、被係止面３３ａと係止面１３ａとが係合して、被係止面３３ａがケース部１０の外側へ移動することが係止される。また、上下一対の嵌合凹部１５の各々に上下一対の嵌合凸部３５が嵌合する。このような構成によれば、キャップ部３０が先端開口部１２の孔に嵌め込まれることで、ケース部１０の係止面１３ａとキャップ部３０の被係止面３３ａとが係合し、且つケース部１０の嵌合凹部１５とキャップ部３０の嵌合凸部３５とが嵌合する。そのため、ケース部１０に嵌め込まれたキャップ部３０が該ケース部１０から外れることを、より抑えることが可能となる。
以上、本実施形態によれば以下に列記するような効果が得られるようになる。
【００４１】
（１）先端開口部１２の孔に閉塞部３３が嵌め込まれ、ガイドスリット１３に連結曲部３１が嵌め込まれる。すなわち、先端開口部１２の孔とガイドスリット１３とにキャップ部３０の全体が嵌め込まれる。そして、先端開口部１２の孔では、閉塞部３３のうち該孔を塞ぐ外表面３３Ｓと先端開口部１２の筒端面とが面一となる。
【００４２】
それゆえに、キャップ部３０のうち先端開口部１２の外側に露出する部分が、ケース部１０の外側で物に引っ掛かったり、指などの触覚によって認識されたりすることを抑えること、ひいてはケース部１０に嵌め込まれたキャップ部３０がケース部１０から外れることを抑えることが可能となる。
【００４３】
（２）また、連結曲部３１のうちガイドスリット１３を塞ぐ外表面とケース部１０の外周面とが面一になる。それゆえに、キャップ部３０のうちガイドスリット１３の外側に露出する部分が、ケース部１０の外側で物に引っ掛かったり、指などの触覚によって認識されたりすることを、より抑えることが可能になる。
【００４４】
（３）キャップ部３０の先端である挿入部３４が、ガイドスリット１３に挿入可能な先細り形状である。そのため、キャップ部３０を先端開口部１２に嵌め込む際には、挿入部３４をガイドスリット１３から先端開口部１２へ嵌め込むことが容易なものになる。ひいては、先端開口部１２の孔が延びる方向に沿ってキャップ部３０が該先端開口部１２に嵌め込まれる場合と比較して、キャップ部３０が先端開口部１２に嵌め込まれる際には、ヒンジ部２０の折り曲げられる角度を小さくすることが可能である。
【００４５】
（４）キャップ部３０が先端開口部１２の孔に嵌め込まれることで、ケース部１０の係止面１３ａとキャップ部３０の被係止面３３ａとが係合する。そのため、キャップ部３０がケース部１０から外れることを、より抑えることが可能となる。
【００４６】
（５）キャップ部３０が先端開口部１２の孔に嵌め込まれることで、ケース部１０の嵌合凹部１５とキャップ部３０の嵌合凸部３５とが嵌合する。そのため、ケース部１０に嵌め込まれたキャップ部３０が該ケース部１０から外れることを、より抑えることが可能となる。
【００４７】
（６）ヒンジ部２０の肉厚Ｗが一定であることから、ヒンジ部２０の一部が局所的に折り曲げられることを抑えることが可能であり、折り曲げに対するヒンジ部２０の機械的な耐性を高めることが可能である。
【００４８】
（７）ケース部１０の内部には、該ケース部１０が有する内部空間Ｓと基端開口部１１の孔との段差部１６が形成される。これにより、ケース部１０が有する内部空間Ｓと基端開口部１１の孔との段差部１６に紐の結び部が係止されやすくなる。それゆえに、ケース部１０内に収容された紐の結び部がケース部１０内から抜け出ることを、より抑えることが可能である。
（８）キャップ部３０が横方向にスライドしながらケース部１０に嵌め込まれるため、ヒンジ部２０における応力変形を少なくすることが可能である。
なお、上記実施形態は、以下のように変更して実施することもできる。
【００４９】
・ヒンジ部２０の長さと連結曲部３１の長さとの合計であるスリット長Ｌ１は、ケース長Ｌ２の半分未満であってもよく、ヒンジ部２０や連結曲部３１の形状、大きさ、材料に応じて、適宜選択されるものである。要は、キャップ部３０の全体がケース部１０に嵌め込まれた状態で、ヒンジ部２０や連結曲部３１の内部に応力が集中しない長さであればよい。
【００５０】
・ヒンジ部２０がガイドスリット１３からはみ出す程度に十分に長い構成であれば、先端開口部１２の孔が延びる方向に沿って、キャップ部３０を先端開口部１２の孔へ嵌め込むことが可能である。すなわち、キャップ部３０を先端開口部１２の孔へ嵌め込む態様は、ヒンジ部２０の長さに応じて、キャップ部３０を横方向にスライドさせる態様であってもよく、あるいはキャップ部３０を延設方向にスライドさせる態様であってもよい。
【００５１】
・ヒンジ部２０における延設方向の長さは、ヒンジ部２０における可撓性が十分に得られるという観点から、ヒンジ部２０の肉厚Ｗの２倍以上であればよく、スリット長Ｌ１は、こうしたヒンジ部２０の長さに応じて、ケース長Ｌ２の半分よりも小さくてもよい。このような構成であっても、上記（１）〜（７）に準じた効果を得ることは可能である。
【００５２】
・ケース部１０の内部には、基端開口部１１の孔と内部空間Ｓとの段差からなる段差部１６が形成されているが、ケース部１０の内部では、基端開口部１１の孔と先端開口部１２の孔とが連続面を形成して、上述した段差部１６が割愛される構成であってもよい。要は、ケース部１０が有する一対の開口部のうち小さい孔を有した小開口部が、ケース部の内部に収容される紐の結び部をケースの内部から引き出し不能にする構成であればよい。このような構成であっても、上記（１）〜（６）の効果を得ることは可能である。
【００５３】
・ヒンジ部２０の肉厚Ｗは、ヒンジ部２０の基端からヒンジ部２０の先端に向けて徐々に大きくなる構成であってもよく、あるいはヒンジ部２０の先端からヒンジ部２０の基端に向けて徐々に大きくなる構成であってもよい。ヒンジ部２０の肉厚Ｗが一定、あるいは徐々に変化するものであれば、ヒンジ部２０の曲げによってヒンジ部２０が破断することを抑えることが可能であって、このような構成であっても、上記（１）〜（５）に準じた効果を得ることが可能である。
【００５４】
・嵌合凹部１５の数量と嵌合凸部３５との数量とは、それぞれ１つあるいは３つ以上であってもよく、このような構成であっても、上記（１）〜（５）に準じた効果を得ることが可能である。なお、嵌合凹部１５と嵌合凸部３５とが割愛される構成であっても、上記（１）〜（４）に準じた効果を得ることは可能であって、嵌合凹部１５と嵌合凸部３５とが割愛されることにより、ケース部１０の構造やキャップ部３０の構造を簡素化することが可能でもある。
【００５５】
・係止面１３ａの構造、及び被係止面３３ａの構造は、キャップ部３０が先端開口部１２の孔に嵌め込まれることで、これら係止面１３ａと被係止面３３ａとが係合する構造であればよい。例えば、ガイドスリット１３の表面に対し係止面１３ａが凹状であって、連結曲部３１の表面に対し被係止面３３ａが凸状であってもよい。また、これら係止部の数量、及び被係止部の数量も、２以上であってもよい。このような構成であっても、上記（１）〜（４）に準じた効果を得ることが可能である。なお、係止部と被係止部とが割愛される構成であっても、上記（１）〜（３）に準じた効果を得ることは可能であって、係止部と被係止部とが割愛されることにより、ケース部１０の構造やキャップ部３０の構造を簡素化することが可能でもある。
【００５６】
・キャップ部３０の先端である挿入部３４は、横方向、及び延設方向に延びる平板状であってもよく、あるいは先太り形状であってもよい。要は、先端開口部１２の孔、及びガイドスリット１３に、キャップ部３０の全体が嵌め込まれる形状であればよい。このような構成であっても、上記（１）及び（２）に準じた効果を得ることは可能である。また、ケース部１０の内側に臨む部分が先太り形状であれば、先端開口部１２の孔、及びガイドスリット１３からキャップ部３０が外れることが抑えられやすくもなる。
【符号の説明】
【００５７】
Ｋ…紐、Ｓ…内部空間、Ｗ…肉厚、ＨＡ…挿入幅、Ｌ１…スリット長、Ｌ２…ケース長、ＨＢ１…スリット幅、ＨＢ２…開口幅、ＨＣ１…連結幅、ＨＣ２…キャップ幅、Ｒａ１…内径、Ｒａ２…内径、Ｒｂ１…外径、１０…ケース部、１０Ｓ…キャップ連結壁、１１…基端開口部、１１Ｂ…連結曲部、１２…先端開口部、１２Ｅ…先端開口輪郭、１３…ガイドスリット、１３ａ…係止面、１３Ｅ…スリット輪郭、１３Ｎ…基端、１５…嵌合凹部、１６…段差部、２０…ヒンジ部、３０…キャップ部、３０Ｃ…肉抜き、３１…連結曲部、３１Ｅ…連結部輪郭、３２…連結突片、３３…閉塞部、３３ａ…被係止面、３３Ｅ…閉塞部輪郭、３３Ｓ…外表面、３４…挿入部、３５…嵌合凸部、３５ａ…挿入面、５０…ケース部、５１…基端開口部、５２…先端開口部、５３…外周壁、５４…欠肉部、５５…段差部、６０…ヒンジ部、７０…キャップ部、７１…閉塞部、７１Ｓ…外表面、７２…ガイド突部、７２Ｓ…閉塞端面。
【図１】
2012217540.tif 000003
【図２】
2012217540.tif 000004
【図３】
2012217540.tif 000005
【図４】
2012217540.tif 000006
【図５】
2012217540.tif 000007